(57)【要約】【課題】２以上の給湯先での給湯使用が同時に行われる場合であっても、それぞれの給湯先に対する給湯温度の温度変化の発生を可及的に抑制して所定温度に維持し得る給湯ヘッダの制御方法を提供する。【解決手段】１つの給湯先のみに対する単独給湯使用状態では、その給湯先に対応する混合弁の混合比調整についての混合処理サイクルＲ１を連続して繰り返し実行して混合制御ルーチンを実行する（ａ）。これに加えて新たに他の給湯先も給湯使用が開始されて同時給湯使用状態になると、上記混合処理サイクルＲ１と、新たな給湯先に対応する混合弁の混合比調整についての混合処理サイクルＲ３とを順に直列に交互に繰り返して実行する（ｂ）。個々の混合処理サイクルＲ１，Ｒ３は、互いに他方の混合処理サイクルのサイクルタイム（１００ｍｓｅｃ）だけ時間間隔をおいて繰り返され、混合比の急速かつ急激な変更が緩和される。【選択図】　　　図４
2004061019.tif 000002
【特許請求の範囲】
【請求項１】
湯と水との供給を受けて混合比可変に混合することにより２以上の給湯先に対し互いに異なる給湯温度の給湯を行う２以上の混合弁を備えた給湯ヘッダの制御方法であって、
各混合弁毎に、供給される湯の温度と、水の温度と、その混合弁により混合された混合後の給湯温度と、混合後の給湯流量との各検出値に基づいて上記混合後の給湯温度が対応する給湯先で要求される設定給湯温度になるように混合比を変更制御する混合制御ルーチンを独立かつ個別に実行可能とする一方、
上記２以上の給湯先の内、少なくとも２つの給湯先での給湯使用が同時に生じたときには、その同時給湯使用状態になる各混合弁についての混合制御ルーチンを所定の混合処理サイクル毎に順に直列に実行させて繰り返すようにする
ことを特徴とする給湯ヘッダの制御方法。
【請求項２】
請求項１記載の給湯ヘッダの制御方法であって、
同時給湯使用状態になるときには、先順の混合弁に対する混合処理サイクルの実行終了から次順の混合弁に対する混合処理サイクルの実行開始までの間に所定時間の遅延処理を介在させるようにする、給湯ヘッダの制御方法。
【請求項３】
請求項２に記載の給湯ヘッダの制御方法であって、
上記遅延処理による時間間隔を同時給湯使用状態になる混合弁の数の増加に応じてより長くする、給湯ヘッダの制御方法。
【請求項４】
請求項１〜請求項３のいずれかに記載の給湯ヘッダの制御方法であって、
特定給湯先を含んだ３以上の給湯先が同時給湯使用状態になるときには、その特定給湯先に対応する特定混合弁についての混合処理サイクルの実行順を優先繰り上げさせるようにする、給湯ヘッダの制御方法。
【請求項５】
請求項１〜請求項４のいずれかに記載の給湯ヘッダの制御方法であって、
同時給湯使用状態になるときには、設定給湯温度に対する混合比変更制御上の不感帯域を単独給湯使用状態の場合よりも増大変更させるようにする、給湯ヘッダの制御方法。
【請求項６】
請求項５に記載の給湯ヘッダの制御方法であって、
不感帯域の増大は、設定給湯温度に対し低温側に変更させるようにする、給湯ヘッダの制御方法。
【発明の詳細な説明】
【０００１】
【発明の属する技術分野】
本発明は、２以上の給湯先に対応する個別の混合弁に対し水と湯とをそれぞれ供給し、各混合弁での水と湯との混合比を変更制御することにより各給湯先に対し各給湯先毎に互いに異なる温度で給湯するために用いられる給湯ヘッダの制御方法に関する。
【０００２】
【従来の技術】
この種の給湯ヘッダとして、例えば図１に示すようなものが用いられている。このものでは、熱源機において給水管からの入水を加熱しこの湯を給湯ヘッダに入湯させる一方、上記給水管から分岐させて上記給湯ヘッダに入水させ、給湯ヘッダの各混合弁で水と湯とを対応する給湯先で要求される設定給湯温度に基づいて所定の混合比で混合させることにより、各給湯先毎に互いに異なる温度での給湯を可能としている。
【０００３】
上記各混合弁での混合比の制御（混合比制御）は次のようにして行われる。すなわち、２以上の給湯先の内の１つだけ給湯使用が行われているときにはその給湯先に対応する１つの混合弁にのみ水と湯とが供給され、混合後の給湯温度がその給湯先で要求される設定給湯温度（例えばリモコンにユーザが設定した温度）になるように混合比がＦＢ制御等により変更調整される。この給湯先への給湯中に他の給湯先での給湯使用が開始されると、２つの混合弁について混合比制御が混合弁毎に個別に行われることになる。
【０００４】
【発明が解決しようとする課題】
ところが、２以上の給湯先での給湯使用が同時に行われると、特に新たな給湯使用の開始時点から定常状態に至るまでの過渡期においては、制御対象である２以上の混合弁のそれぞれに供給される水と湯との供給量や圧力バランス等が急変動し、その急変動に伴い各混合弁での混合比も急激に変更制御されてしまう結果、それまで給湯先に給湯されていた給湯温度がハンチング現象を引き起こしてしまうことになる。
【０００５】
本発明は、このような事情に鑑みてなされたものであり、その目的とするところは、２以上の給湯先での給湯使用が同時に行われる場合であっても、それぞれの給湯先に対する給湯温度の温度変化の発生を可及的に抑制して所定温度に維持し得る給湯ヘッダの制御方法を提供することにある。
【０００６】
【課題を解決するための手段】
上記目的を達成するために、本発明は、同時給湯使用状態になれば、各混合弁の混合比を同時に連続的に変更制御するのではなくて、一つ一つの混合弁の混合比の変更処理を順に直列に実行させることにより同じ混合弁の混合比の変更処理が所定時間間隔毎に実行されるようにしたものである。
【０００７】
具体的には、本発明では、湯と水との供給を受けて混合比可変に混合することにより２以上の給湯先に対し互いに異なる給湯温度の給湯を行う２以上の混合弁を備えた給湯ヘッダの制御方法を対象として以下の特定事項を備えるようにした。すなわち、各混合弁毎に、供給される湯の温度と、水の温度と、その混合弁により混合された混合後の給湯温度と、混合後の給湯流量との各検出値に基づいて上記混合後の給湯温度が対応する給湯先で要求される設定給湯温度になるように混合比を変更制御する混合制御ルーチンを独立かつ個別に実行可能とする。そして、上記２以上の給湯先の内、少なくとも２つの給湯先での給湯使用が同時に生じたときには、その同時給湯使用状態になる各混合弁についての混合制御ルーチンを所定の混合処理サイクル毎に順に直列に実行させて繰り返すようにする（請求項１）。
【０００８】
本発明によれば、２以上の給湯先のいずれか１つのみが給湯使用される単独給湯状態においては、給湯使用される給湯先に対応する混合弁に対し混合制御ルーチンが実行されて、その給湯先への給湯温度が設定給湯温度になるように混合比が変更調整される。一方、その給湯先に加えてさらに他の１以上の給湯先でも給湯使用が開始されて同時給湯使用状態になると、同時給湯状態になる２以上の混合弁についての混合制御ルーチンの内の所定の混合処理サイクル毎に順番に直列に実行されこれが繰り返されることになる。
【０００９】
この場合には、１つの混合弁について見ると、この混合弁に対する混合制御ルーチンの実行が上記混合処理サイクル毎に他の混合弁に対する混合処理サイクルの実行を待つ分だけ単独給湯使用状態の連続して混合処理サイクルが実行される場合よりも長くなる。このため、単独給湯使用状態から同時給湯使用状態に移行して各混合弁に供給される湯や水の流量や圧力バランス等の急変動しても、各混合弁での混合比の変更タイミングの間隔が延ばされ、上記の急変動に伴う混合比の繰り返しの急変更が抑制されて混合比の変更が緩和されることになる。この結果、従来の混合比の急速な変動が繰り返されることに伴う給湯温度のハンチングの発生が抑制されて、給湯温度がより安定的に維持されることになる。
【００１０】
なお、「所定の混合処理サイクル」とは、例えばＦＢ制御における１サイクル、又は、２もしくは３サイクルを設定するようにすればよい。この設定された混合処理サイクルがある１つの混合弁について実行される時間だけ、他の混合弁について混合処理サイクルが実行される時間間隔が延びることになる結果、各混合弁での混合比の変更タイミングの間隔がそれだけ延びることになる。
【００１１】
上記の本発明においては、さらに、同時給湯使用状態になるときには、先順の混合弁に対する混合処理サイクルの実行終了から次順の混合弁に対する混合処理サイクルの実行開始までの間に所定時間の遅延処理を介在させるようにしてもよい（請求項２）。この場合には、上記の各混合弁についての混合比の変更タイミングの間隔が上記の遅延処理の時間分だけ長く延ばされ、給湯温度のハンチングの発生をより確実に抑制して、より安定的に給湯温度が維持される。さらに、この場合に、上記遅延処理による時間間隔を同時給湯使用状態になる混合弁の数の増加に応じてより長くするようにしてもよく（請求項３）、このようにすることにより、多数の混合弁が同時給湯使用状態になって上記の流量等の変動がより激しくても、各給湯先への給湯温度を安定的に維持し得ることになる。
【００１２】
以上の請求項１〜請求項３のいずれかの給湯ヘッダの制御方法においては、特定給湯先を含んだ３以上の給湯先が同時給湯使用状態になるときには、その特定給湯先に対応する特定混合弁についての混合処理サイクルの実行順を優先繰り上げさせるようにすることもできる（請求項４）。この場合には、特定混合弁についての混合処理サイクルがあまり長くならない時間間隔で実行される一方、他の混合弁についての混合処理サイクルは十分な時間間隔をおいて順に実行されることになる。これにより、例えば設定給湯温度に対する保持が他の給湯先よりも重視されるような特定給湯先が同時給湯使用状態に陥る場合においても、その特定給湯先に対する給湯温度を設定給湯温度に保持しつつも、他の給湯先に対する給湯温度のハンチング抑制を図り得る。
【００１３】
また、以上の請求項１〜請求項４のいずれかの給湯ヘッダの制御方法においては、さらに、同時給湯使用状態になるときには、設定給湯温度に対する混合比変更制御上の不感帯域を単独給湯使用状態の場合よりも増大変更させるようにしてもよい（請求項５）。つまり、例えばＦＢ制御であれば混合後の給湯温度が設定給湯温度からプラス・マイナス側にどの程度ずれると混合比の変更を実行するという不感帯域（閾値）を、同時給湯使用状態になれば単独給湯使用状態のときよりも増大変更するのである。このようにすることにより、水や湯の流量等の急変動が生じて混合後の給湯温度が変化したとしても、混合比の変更実行がより鈍くなり、この結果、混合比が繰り返し急変動されることに伴う給湯温度のハンチング発生をより一層抑制して給湯温度の安定的維持がより一層図られることになる。この場合、不感帯域の増大は、設定給湯温度に対し低温側に変更させるようにしてもよい（請求項６）。
【００１４】
例えば混合比変更の閾値が設定給湯温度に対し単独給湯使用状態であるとプラス・マイナス１度であれば、同時給湯使用状態であるとプラス１度・マイナス２度というように低温側に増大したり、あるいは、同時給湯使用状態であるとプラス０度・マイナス２度というように閾値範囲自体を低温側に移動したりすればよい。
【００１５】
【発明の効果】
以上、説明したように、請求項１〜請求項６のいずれかの給湯ヘッダの制御方法によれば、単独給湯使用状態から同時給湯使用状態に移行して各混合弁に供給される湯や水の流量や圧力バランス等の急変動しても、各混合弁での混合比の変更タイミングの間隔を単独給湯使用状態のときよりも延ばすことができ、上記の急変動に伴う混合比の繰り返しの急変更を抑制して混合比の変更を緩和させることができる。これにより、従来の混合比の急速な変動が繰り返されることに伴う給湯温度のハンチングの発生を抑制して、給湯温度をより安定的に維持させることができる。
【００１６】
特に、請求項２によれば、各混合弁についての混合比の変更タイミングの間隔を遅延処理の時間分だけ積極的に延ばすことができ、給湯温度のハンチングの発生をより確実に抑制して、より安定的に給湯温度の維持を図ることができる。また、請求項３によれば、多数の混合弁が同時給湯使用状態になって上記の流量等がより激しく変動しても、各給湯先への給湯温度を安定的に維持させることができる。
【００１７】
請求項４によれば、設定給湯温度に対する保持が他の給湯先よりも重視されるような特定給湯先が同時給湯使用状態に陥る場合においても、その特定給湯先に対する給湯温度を設定給湯温度に保持しつつも、他の給湯先に対する給湯温度のハンチング抑制を図ることができる。
【００１８】
請求項５によれば、不感帯域の増大によって混合比の変更実行をより鈍くして、混合比が繰り返し急変動されることに伴う給湯温度のハンチング発生をより一層抑制して給湯温度の安定的維持をより一層図ることができる。さらに、請求項６によれば、この請求項５による効果をより効果的に得ることができる。
【００１９】
【発明の実施の形態】
以下、本発明の実施形態を図面に基づいて説明する。
【００２０】
図１は、本発明の制御方法が適用される給湯ヘッダを用いた給湯システムの例を示す。この給湯システムは、共通の熱源機２により加熱された湯を、給湯ヘッダ３を経由させることにより２以上（図例では第１〜第４の４箇所）の給湯先７〜１０に対し給湯先毎に異なる設定給湯温度で分配して分岐給湯し得るようにしたものである。
【００２１】
上記熱源機２は水道管等の給水元管２１からの水の給水を受けて燃焼バーナ及び熱交換器等からなる加熱手段２２により所定の高温度（例えば６０〜７５℃）まで加熱し、加熱した湯を出湯路２３を通して上記給湯ヘッダ３に供給するようになっている。上記加熱手段２２の加熱作動は内蔵された熱源機側コントローラ２４により制御されるようになっている。なお、この熱源機側コントローラ２４は後述のヘッダ側コントローラ６と有線又は無線により相互通信可能に接続されている。
【００２２】
上記給湯ヘッダ３は入湯路３１と、入水路３２と、上記給湯先７〜１０に対応する第１〜第４の混合弁３３〜３６と、上記給湯先７〜１０に個別に給湯するための第１〜第４の給湯路３７〜４０と、上記各混合弁３３〜３６による湯と水との混合比を制御するコントローラ（ヘッダ側コントローラ）６とを含む各種機器がハウジング４１内に内蔵されたものである。
【００２３】
上記入湯路３１は、その上流端が上記熱源機２からの出湯路２３の下流端に接続され、下流側がそれぞれ分岐して上記各混合弁３３〜３６に対し個別に湯を供給するように接続されている。そして、上記入湯路３１には、万一の断水発生時等における逆流を防止するための逆止弁４２ａと、入湯温度を検出する入湯温度センサ４３とが介装されている。
【００２４】
上記入水路３２は、その上流端が上記給水元管２１からの分岐路に接続され、下流側がそれぞれ分岐して上記各混合弁３３〜３６に対し個別に水を供給するように接続されると共に、洗濯機，トイレット及び庭先等の各給水先（各給水カラン）１１〜１３に水のみを供給する給水路４４とされている。そして、上記入水路３２には逆流を防止するための逆止弁４２ｂと、入水温度を検出する入水温度センサ４５とが介装され、上記給水路４４には上記各給水先１１〜１３への給水流量を検出する給水流量センサ４６が介装されている。
【００２５】
上記各給湯路３７〜４０は対応する混合弁３３〜３６で混合された後の湯が出湯されるようになっており、各給湯路３７〜４０にはそれぞれ給湯温度を検出する第１〜第４の温度センサ４７，５０，５３，５６と、第１〜第４の過流出防止弁４８，５１，５４，５７と、給湯流量を検出する第１〜第４の流量センサ４９，５２，５５，５８とがそれぞれ介装されている。なお、上記各過流出防止弁４８，５１，５４，５７は熱源機２での加熱能力との関係で最大流量を所定値に規制するためのものであり、各流量センサ４９，５２，５５，５８からの検出流量に基づいてコントローラ６により制御されるようになっている。
【００２６】
そして、上記第１給湯路３７の下流端に対し第１給湯先である浴槽（浴槽カラン）７への給湯配管７１の上流端が接続され、第２給湯路３８の下流端に対し第２給湯先であるシャワー（シャワーカラン）８への給湯配管８１の上流端が接続され、第３給湯路３９の下流端に対し第３給湯先である洗面台（洗面カラン）９への給湯配管９１の上流端が接続され、第４給湯路４０の下流端に対し第４給湯先である台所（台所カラン）１０への給湯配管１０１の上流端が接続されている。
【００２７】
また、上記各給湯先７〜１０にはそれぞれリモコン７２，９２，１０２が設置され、この各リモコン７２，９２，１０２にユーザが入力設定した設定給湯温度等の情報を上記コントローラ６に出力するようになっている。なお、本来は給湯先毎にリモコンが設置されるが、図例の給湯システムでは第１給湯先が浴槽７であり、第２給湯先がシャワー８であるため、第１給湯先に対する第１リモコンと第２給湯先に対する第２リモコンとが１つの風呂リモコン７２により兼用されており、また、第３リモコンが洗面リモコン９２により、第４リモコンが台所リモコン１０２によりそれぞれ構成されている。
【００２８】
上記コントローラ６は図２に示すように第１混合弁３３を制御対象として混合比を変更制御する混合制御ルーチンを実行する第１混合制御部６１と、以下同様に第２混合弁３４を制御対象とする第２混合制御部６２と、第３混合弁３５を制御対象とする第３混合制御部６３と、第４混合弁３６を制御対象とする第４混合制御部６４と、各給湯先７〜１０に対する給湯状態がいずれか１つの単独給湯使用状態にあるか２以上の同時給湯使用状態にあるかを判定する給湯使用状態判定部６５と、同時給湯使用状態になったときの混合制御を行う同時給湯制御部６６とを備えている。
【００２９】
上記給湯使用状態判定部６５では、いずれかのリモコン７２，９２，１０２の給湯スイッチがユーザーによりＯＮ操作されてそのＯＮ出力を受け、かつ、対応する流量センサ４９，５２，５５，５８が流量を検出すると、その給湯先が給湯使用状態になったと判定し、これが１つであれば単独給湯使用状態であると判定し、２以上になれば同時給湯使用状態であると判定するようになっている。
【００３０】
上記各混合制御部６１〜６４は、入湯温度センサ４３からの検出入湯温度と、入水温度センサ４５からの検出入水温度との各出力を前提情報として受け、これに加えて対応する温度センサ４７，５０，５３，５６からの混合後の検出給湯温度に基づいて、あるいは、この検出給湯温度と、対応する流量センサ４９，５２，５５，５８からの検出給湯流量とに基づいて、上記検出給湯温度が対応する給湯先のリモコン７２，９２，１０２にユーザが入力設定した設定給湯温度になるように、混合比を増減変更するようになっている。
【００３１】
この各混合制御部６１〜６４による混合制御ルーチンは単独給湯使用状態のときにその単独給湯使用されている混合弁について実行されるものであり、この混合制御ルーチンについて例えば第４混合制御部６４を例にして具体的に説明すると、次のようになる。
【００３２】
すなわち、第４混合弁３６は給湯先である台所カラン１０が閉（給湯非使用状態）のときには所定の待機位置に設定されている。そして、リモコン１０２の給湯スイッチがユーザーによりＯＮ操作され台所カラン１０が開かれて第４流量センサ５８により流量が検出されると給湯使用状態になったと判断して上記混合制御ルーチンが開始される。まずは、上記検出入湯温度及び検出入水温度に基づいて混合後の温度が上記リモコン１０２に予め入力設定された設定給湯温度になる混合比を演算し、その混合比に対応する位置に上記混合弁３６を作動させる。以後、検出給湯温度が上記設定給湯温度になるように上記混合比を増減変更する処理を繰り返す。つまり、検出給湯温度が設定給湯温度よりも低くなれば湯の混合量を増大させるように混合比を変更し、逆に、検出給湯温度が設定給湯温度よりも高くなれば水の混合量を増大させるように混合比を変更する。この給湯温度を検出して、検出給湯温度と設定給湯温度との比較、そして、温度差が所定の閾値（制御上の不感帯域）を超えていれば設定給湯温度に近付く側への混合比の変更という一連の処理が１回の混合処理サイクルを構成し、この混合処理サイクルが給湯使用が継続される限り繰り返される。
【００３３】
上記コントローラ６での基本制御は図３に示すように第１給湯先（浴槽）７が給湯使用状態であれば（ステップＳ１でＹＥＳ）、第１混合弁３３について第１混合制御部６１による混合制御ルーチンを構成する所定の混合処理サイクルＲ１を実行し、非給湯使用状態であれば実行せずにステップＳ２に進む（ステップＳ１でＮＯ）。ステップＳ２では第２給湯先（シャワー）８が給湯使用状態であれば（ステップＳ２でＹＥＳ）、第２混合弁３４について第２混合制御部６２による混合制御ルーチンを構成する所定の混合処理サイクルＲ２を実行し、非給湯使用状態であれば実行せずにステップＳ３に進む（ステップＳ２でＮＯ）。
【００３４】
以下同様に、第３給湯先（洗面台）９が給湯使用状態であれば（ステップＳ３でＹＥＳ）、第３混合弁３５について第３混合制御部６３による混合制御ルーチンを構成する所定の混合処理サイクルＲ３を実行し、非給湯使用状態であれば実行せずにステップＳ４に進み（ステップＳ３でＮＯ）、第４給湯先（台所）１０が給湯使用状態であれば（ステップＳ４でＹＥＳ）、第４混合弁３６について第４混合制御部６４による混合制御ルーチンを構成する所定の混合処理サイクルＲ４を実行し、非給湯使用状態であれば実行せずにリターンする。
【００３５】
この基本制御によれば、単独給湯使用状態では１つの混合制御部による混合制御ルーチンを所定の混合処理サイクルのみが連続して繰り返されることになる。例えば図４（ａ）に第１給湯先７のみが給湯使用状態である場合を示すように第１混合制御部６１による混合制御ルーチンを構成する所定の混合処理サイクルＲ１が繰り返される。この場合、上記混合処理サイクルＲ１のサイクルタイムが例えば１００ｍｓｅｃであれば、これが連続して繰り返される。
【００３６】
一方、上記の第１給湯先７に加えて、例えば第３給湯先９も給湯使用状態になると、図４（ｂ）に示すように第１混合制御部６１による混合制御ルーチンの混合処理サイクルＲ１がまず実行され、次に第３混合制御部６３による混合制御ルーチンの混合処理サイクルＲ３が実行され、以後、上記の混合処理サイクルＲ１とＲ３が交互に繰り返されることになる。この場合、混合処理サイクルＲ１のサイクルタイムが１００ｍｓｅｃ、混合処理サイクルＲ３のサイクルタイムが１００ｍｓｅｃであるとすると、Ｒ１とＲ３とはそれぞれ１００ｍｓｅｃ毎の時間間隔をもって繰り返し実行されることになる。
【００３７】
また、上記の第１給湯先７及び第３給湯先９に加えて、例えば第４給湯先１０も給湯使用状態になると、図５（ａ）に示すように上記の混合処理サイクルＲ１がまず実行され、次に混合処理サイクルＲ３が実行され、そして第４混合制御部６４による混合制御ルーチンの混合処理サイクルＲ４が実行され、以後、上記の混合処理サイクルＲ１，Ｒ３，Ｒ４がこの順で繰り返されることになる。つまり、給湯使用し始めた順で直列に実行されて繰り返される。この場合、混合処理サイクルＲ４のサイクルタイムも１００ｍｓｅｃであるとすると、Ｒ１とＲ３とＲ４とはそれぞれ２００ｍｓｅｃ毎の時間間隔をもって繰り返し実行されることになる。つまり、給湯使用状態になる混合弁の数に応じて処理が実行される時間間隔が増大するようになる。なお、上記の給湯し始めた順序はコントローラ６に記憶されるようになっており、この記憶情報に基づき所定順に上記混合処理サイクルが繰り返されることになる。
【００３８】
さらに、上記の第１給湯先７、第３給湯先９及び第４給湯先１０に加えて、第２給湯先１０も給湯使用状態になると、図５（ｂ）に示すように上記の混合処理サイクルＲ１がまず実行され、次に混合処理サイクルＲ３が実行され、この次に混合処理サイクルＲ４が実行され、そして第２混合制御部６２による混合制御ルーチンの混合処理サイクルＲ２が実行され、以後、上記の混合処理サイクルＲ１，Ｒ３，Ｒ４，Ｒ２がこの順で直列に繰り返されることになる。この場合、混合処理サイクルＲ２のサイクルタイムも１００ｍｓｅｃであるとすると、Ｒ１とＲ３とＲ４とＲ２とはそれぞれ３００ｍｓｅｃ毎の時間間隔をもって繰り返し実行されることになる。
【００３９】
以上により、単独給湯使用状態から同時給湯使用状態に移行した場合に、給湯使用状態の各混合弁への湯と水との供給流量やその際の圧力バランス等の特に過渡期における急変動や撹乱が生じても、その急変動等に伴う混合比の急速かつ大きな変動が過渡期において繰り返されることを抑制して混合比の変動を穏やかなものにすることができる。これにより、特に過渡期における給湯温度のハンチング発生を防止することができる。そして、上記の供給流量等が定常状態に至れば給湯温度もそれらに応じて確実に設定給湯温度に収束させることができる。
【００４０】
＜第２実施形態＞
図６は第２実施形態のコントローラ６ａでの基本制御のフローチャートを示す。この第２実施形態は同時給湯制御部６６ａ（図２参照）が遅延処理部を備え、同時給湯使用状態になれば各混合処理サイクルを順に実行する際に間に所定時間の遅延処理を介装して、個々の混合処理サイクルが実行される時間間隔を第１実施形態よりも積極的に長くさせるようにしたものである。なお、第２実施形態はこの点でのみ第１実施形態と異なり、他の構成要素は第１実施形態と同じである。
【００４１】
図６のフローチャートは第１実施形態の基本制御（図３参照）に対し遅延処理（ステップＳ１−１、ステップＳ２−１、ステップＳ３−１、ステップＳ４−１）を追加したものであり、その他のステップＳ１〜Ｓ４やＲ１〜Ｒ４の各内容は第１実施形態のものと同じである。すなわち、第２実施形態では、第１給湯先７が給湯使用状態になれば（ステップＳ１でＹＥＳ）、給湯使用状態判定部６５（図２参照）からの情報に基づき他の給湯先との同時給湯使用状態のときには遅延処理を実行した上で（ステップＳ１−１）、第１混合弁３３についての混合制御ルーチンを構成する所定の混合処理サイクルＲ１を実行する。一方、同時給湯使用状態ではなくて単独給湯使用状態であれば、上記のステップＳ１−１の遅延処理は飛ばして混合処理サイクルＲ１を直ぐに実行する。
【００４２】
以下同様にして第２給湯先８、第３給湯先９又は第４給湯先１０が給湯使用状態になれば（ステップＳ２，Ｓ３，Ｓ４でＹＥＳ）、同時給湯使用状態のときにはそれぞれ遅延処理をした上で（ステップＳ２−１，Ｓ３−１，Ｓ４−１）、単独給湯使用状態のときにはその遅延処理は飛ばして、対応する混合処理サイクルＲ２，Ｒ３又はＲ４を実行する。
【００４３】
以上の第２実施形態の場合、単独給湯使用状態では第１実施形態と同様に１つの混合制御部による混合制御ルーチンを所定の混合処理サイクルのみが連続して繰り返されることになる。例えば図７（ａ）に第１給湯先７のみが給湯使用状態である場合を示すように第１混合制御部６１による混合制御ルーチンを構成する所定の混合処理サイクルＲ１が繰り返される。
【００４４】
一方、上記の第１給湯先７に加えて、例えば第３給湯先９も給湯使用状態になると、図７（ｂ）に示すように第１混合制御部６１による混合制御ルーチンの混合処理サイクルＲ１がまず実行され、次に遅延処理（ステップＳ３−１）の経過を待った上で第３混合制御部６３による混合制御ルーチンの混合処理サイクルＲ３が実行され、そして遅延処理（ステップＳ１−１）の経過を待った上で上記の混合処理サイクルＲ１が実行され、以後、間に遅延処理を介在した状態で混合処理サイクルＲ３とＲ１とが交互に繰り返されることになる。この場合、混合処理サイクルＲ１のサイクルタイムが１００ｍｓｅｃ、混合処理サイクルＲ３のサイクルタイムが１００ｍｓｅｃ、上記各遅延処理の遅延設定時間が５０ｍｓｅｃであるとすると、Ｒ１とＲ３とはそれぞれ前回の実行終了から次回の実行開始まで２００ｍｓｅｃ毎の時間間隔をもって繰り返し実行されることになる。つまり、給湯使用状態の他の混合処理サイクルの実行時間に加えてそれぞれの遅延処理による遅延時間により、個々の混合弁に対する処理が実行される時間間隔が第１実施形態の場合よりも増大するようになる。なお、上記の遅延設定時間値は例示であり、状況に応じて設定すればよい。
【００４５】
また、上記の第１給湯先７及び第３給湯先９に加えて、例えば第４給湯先１０も給湯使用状態になると、図８に示すように上記の混合処理サイクルＲ１、遅延処理（ステップＳ３−１）、混合処理サイクルＲ３、遅延処理（ステップＳ４−１）、混合処理サイクルＲ４、遅延処理（ステップＳ１−１）の順で直列に実行された後に、再び上記の混合処理サイクルＲ１からの直列順の各処理が繰り返し実行される。この場合、各混合処理サイクルＲ１，Ｒ３，Ｒ４のサイクルタイムが１００ｍｓｅｃ、各遅延処理の遅延設定時間が５０ｍｓｅｃであるとすると、Ｒ１とＲ３とＲ４とはそれぞれ前回の実行終了から次回の実行開始まで３５０ｍｓｅｃ毎の時間間隔をもって繰り返し実行されることになる。
【００４６】
さらに、上記の第１給湯先７、第３給湯先９及び第４給湯先１０に加えて、第２給湯先１０も給湯使用状態になると、図９に示すように混合処理サイクルＲ１、遅延処理（ステップＳ３−１）、混合処理サイクルＲ３、遅延処理（ステップＳ４−１）、混合処理サイクルＲ４、遅延処理（ステップＳ２−１）、混合処理サイクルＲ２、遅延処理（ステップＳ１−１）の順で直列に実行された後に、再び上記の混合処理サイクルＲ１からの直列順の各処理が繰り返し実行される。この場合には、Ｒ１とＲ３とＲ４とＲ２とはそれぞれ前回の実行終了から次回の実行開始まで５００ｍｓｅｃ毎の時間間隔をもって繰り返し実行されることになる。
【００４７】
＜他の実施形態＞
なお、本発明は上記第１及び第２実施形態に限定されるものではなく、その他種々の実施形態を包含するものである。すなわち、上記第１及び第２実施形態では、同時給湯使用状態になるときには全ての給湯先７〜１０に対する混合比制御を優劣を付けずに同等に扱って一律に時間間隔を付けているが、例えば一部の特定の給湯先については時間間隔があまり長くならないようにしてもよい。この場合には特定の給湯先（例えば浴槽７又はシャワー８）についての混合処理サイクルを直列の配列順に対し割り込ませて優先的に順序を繰り上げるようにすればよい。
【００４８】
具体的には、特定給湯先が例えば浴槽７であり、特定混合弁が混合弁３３である場合であって、４つの給湯先７〜１０の全てが同時給湯使用状態になるときには、図１０に示すように特定混合弁３３に対する混合処理サイクルＲ１を１つおきに優先的に割り込ませる割り込み処理を行えばよい。これにより、他の給湯先８〜１０の各混合弁３４〜３６についての混合処理サイクルＲ２，Ｒ３，Ｒ４の実行終了から次回の実行開始までの時間間隔が５００ｍｓｅｃとなるのに対し、上記特定混合弁３３についての混合処理サイクルＲ１の実行終了から次回の実行開始までの時間間隔は１００ｍｓｅｃとすることができる。第２実施形態の遅延処理を介在させる場合も同様である。
【００４９】
また、第２実施形態においては全ての給湯先７〜１０の混合弁３３〜３６について同時給湯使用状態になれば一律に遅延処理を介在させるようにしているが、これに限らず、遅延処理は処理ループのいずれかの位置に少なくとも１回だけ介在させるようにしてもよい。
【００５０】
なお、上記第１及び第２実施形態では、給湯先として４つ、対応する混合弁が４つの場合を例示しているが、給湯ヘッダが内蔵する混合弁の数は２以上の任意の数を採用することができる。
【図面の簡単な説明】
【図１】本発明の実施形態が適用される給湯システムを示す模式図である。
【図２】コントローラの内容を示すブロック図である。
【図３】第１実施形態のコントローラの制御内容を示すフローチャートである。
【図４】図３の制御結果についての具体例を示すフローチャートであり、図４（ａ）は単独給湯使用状態の場合、図４（ｂ）は２つが同時給湯使用状態の場合を示す。
【図５】図３の制御結果についての具体例を示すフローチャートであり、図５（ａ）は３つが同時給湯使用状態の場合、図５（ｂ）は４つが同時給湯使用状態の場合を示す。
【図６】第２実施形態のコントローラの制御内容を示すフローチャートである。
【図７】図６の制御結果についての具体例を示すフローチャートであり、図７（ａ）は単独給湯使用状態の場合、図７（ｂ）は２つが同時給湯使用状態の場合を示す。
【図８】図６の制御結果についての具体例として３つが同時給湯使用状態の場合のフローチャートである。
【図９】図６の制御結果についての具体例として４つが同時給湯使用状態の場合のフローチャートである。
【図１０】他の実施形態を示す図９対応図である。
【符号の説明】
３　　　　　　給湯ヘッダ
７　　　　　　第１給湯先（浴槽）
８　　　　　　第２給湯先（シャワー）
９　　　　　　第３給湯先（洗面台）
１０　　　　　第４給湯先（台所）
３３〜３６　　混合弁
Ｒ１〜Ｒ４　　混合処理サイクル
Ｓ１−１，Ｓ２−１，Ｓ３−１，Ｓ４−１　　遅延処理
【図１】
2004061019.tif 000003
【図２】
2004061019.tif 000004
【図３】
2004061019.tif 000005
【図４】
2004061019.tif 000006
【図５】
2004061019.tif 000007
【図６】
2004061019.tif 000008
【図７】
2004061019.tif 000009
【図８】
2004061019.tif 000010
【図９】
2004061019.tif 000011
【図１０】
2004061019.tif 000012